(57)【特許請求の範囲】
【請求項１】
ビデオ検波回路と、このビデオ検波回路で得られたビデオ信号からクロマ信号を復調するとともに該クロマ信号を処理してＲＧＢ信号を出力するクロマ処理回路と、前記ビデオ信号から分離した同期信号に基づいて水平パルスと垂直パルスを形成する同期パルス形成回路と、形成された垂直パルスを垂直ドライブ回路へ与えるための第１回路と、形成された水平パルスを水平出力回路へ与えるための第２回路と、フライバックトランスからのフライバックパルスを検出する第１検出回路と、垂直ドライブ回路におけるランプ信号を検出する第２検出回路と、を備えるＩＣが前記フライバックパルスとランプ信号の少なくとも一方が検出されなくなったとき不作動となるテレビジョン装置のＣＲＴ偏向系プロテクト回路において、
前記ＩＣはマイクロコンピュータからのデータによって動作するようになっており、前記フライバックパルスとランプ信号の少なくとも一方が検出されなくなったとき前記ＩＣへ駆動データを与える前記マイクロコンピュータのポート電源をカットする信号が該ＩＣから出力されることを特徴とするテレビジョン装置のＣＲＴ偏向系プロテクト回路。
【請求項２】
水平・垂直パルスを形成する同期パルス形成回路を備えたクロマ処理ＩＣがフライバックパルスと垂直ドライブ回路のランプ信号を検出する検出回路を有しているとともに、前記フライバックパルスとランプ信号の少なくとも一方が検出されなくなったとき該クロマ処理ＩＣが不作動となるテレビジョン装置のＣＲＴ偏向系プロテクト回路において、
前記クロマ処理ＩＣはマイクロコンピュータからのデータによって動作するようになっており、前記フライバックパルスとランプ信号の少なくとも一方が検出されなくなったとき前記ＩＣへ駆動データを与える前記マイクロコンピュータのポート電源をカットする信号が該クロマＩＣから出力されることを特徴とするテレビジョン装置のＣＲＴ偏向系プロテクト回路。
【発明の詳細な説明】
【０００１】
【発明の属する技術分野】
本発明はテレビジョン装置のＣＲＴ偏向系プロテクト回路に関するものである。
【０００２】
【従来の技術】
特開平１１−６９１９４号公報には、水平出力波形の切換え時の応答が、一定時間“Ｈ”又は“Ｌ”の状態を保持することで、水平出力周波数の切換え時に水平出力パルスの歯抜けを防止することによって水平出力トランジスタの破壊を防止する技術が示されている。しかし、これはＣＲＴ・水平偏向系を停止するものでなく、ましてＣＲＴ・水平偏向系と垂直偏向系の双方を停止するものではない。
【０００３】
また、特開平７−２６４５１１号公報には電源電圧の異常を高圧発生回路の終端側の信号をマイコンで検出するようにして適正な電源プロテクトを図る映像表示装置が映像表示装置が示されている。しかし、これはマイコン自身が検出機能を有するものであり、マイコンは絶えず検出動作を続けていなければならない。
【０００４】
一方、マイコンが検出動作を行なう他の従来例として図３に示すものがある。以下これについて説明する。図３において、クロマ処理ＩＣ１０１はマイクロコンピュータ１００からのデータによって動作するようになっている。このクロマＩＣはクロマ信号の処理を行ない、ＲＧＢ信号を出力すること以外に、ＣＲＴ（陰極線管）水平偏向系回路１０２に１５．７５ＫＨｚ水平パルスを与えたり、垂直偏向系回路１０３に６０Ｈｚの垂直パルスを与えたりする。
【０００５】
ＣＲＴ水平偏向系回路１０２は水平パルスを用いて水平出力トランジスタをＯＮ／ＯＦＦ制御してフライバックトランスにフライバックパルスを発生させたり、コンデンサを充放電して水平偏向電流を発生させたりする。一方、垂直偏向系回路１０３は垂直ドライブ回路で垂直パルスを用いて垂直偏向電流を形成する。
【０００６】
これらの偏向系回路１０２、１０３で異常が生じたとき、その異常検出は直流電圧＋Ｂに接続された抵抗１０６とダイオード１０４、１０５の接続点であるＡ点の電圧をマイコン１００が検知することにより行なわれる。つまり、ＣＲＴ水平偏向系回路１０２に異常が生じると、線路１０７がローレベルに低下するので、ダイオード１０４がＯＮし、Ａ点はローレベルに低下する。
【０００７】
このＡ点の電圧低下をマイコン１００が検知し、クロマ処理ＩＣ１０１へのデータをストップしてクロマ処理ＩＣ１０１を不作動にする。これによってＣＲＴ及び偏向系がプロテクトされる。垂直偏向系回路１０３に異常が生じたときには、線路１０８がローレベルとなってダイオード１０５がＯＮしてＡ点がローレベルになるので、同様にしてクロマ処理ＩＣ１０１が不作動となり、プロテクトがなされる。
【０００８】
【発明が解決しようとする課題】
しかしながら、この従来例ではダイオード１０４、１０５及び抵抗１０６を必要とし、部品点数が増大するとともに、製造の作業性も悪いという欠点がある。本発明はこのような点に鑑みなされたものであって、部品点数の少ないＣＲＴ偏向系プロテクト回路を提供することを目的とする。
【０００９】
【課題を解決するための手段】
上記の目的を達成するため本発明では、ビデオ検波回路と、このビデオ検波回路で得られたビデオ信号からクロマ信号を復調するとともに該クロマ信号を処理してＲＧＢ信号を出力するクロマ処理回路と、前記ビデオ信号から分離した同期信号に基づいて水平パルスと垂直パルスを形成する同期パルス形成回路と、形成された垂直パルスを垂直ドライブ回路へ与えるための第１回路と、形成された水平パルスを水平出力回路へ与えるための第２回路とを備えるＩＣに、フライバックトランスからのフライバックパルスを検出する第１検出回路と、垂直ドライブ回路におけるランプ信号を検出する第２検出回路と、上記ＩＣへ駆動データを与えるマイクロコンピュータのポート電源を上記ランプ信号とフライバックパルスの少なくとも一方が検出されないときはカットする信号を発生する回路とを設けている。
【００１０】
また、本発明では、水平・垂直パルスを形成する同期パルス形成回路を備えたクロマ処理ＩＣがフライバックパルスと垂直ドライブ回路のランプ信号を検出する検出回路を有しているとともに、前記フライバックパルスとランプ信号の少なくとも一方が検出されなくなったとき該クロマ処理ＩＣが不作動となるようにしている。
【００１１】
【課題を解決するための手段】
上記の目的を達成するため本発明では、ビデオ検波回路と、このビデオ検波回路で得られたビデオ信号からクロマ信号を復調するとともに該クロマ信号を処理してＲＧＢ信号を出力するクロマ処理回路と、前記ビデオ信号から分離した同期信号に基づいて水平パルスと垂直パルスを形成する同期パルス形成回路と、形成された垂直パルスを垂直ドライブ回路へ与えるための第１回路と、形成された水平パルスを水平出力回路へ与えるための第２回路と、フライバックトランスからのフライバックパルスを検出する第１検出回路と、垂直ドライブ回路におけるランプ信号を検出する第２検出回路と、を備えるＩＣが前記フライバックパルスとランプ信号の少なくとも一方が検出されなくなったとき不作動となるテレビジョン装置のＣＲＴ偏向系プロテクト回路において、
前記ＩＣはマイクロコンピュータからのデータによって動作するようになっており、前記フライバックパルスとランプ信号の少なくとも一方が検出されなくなったとき前記ＩＣへ駆動データを与える前記マイクロコンピュータのポート電源をカットする信号が該ＩＣから出力されるようになっている。
【００１２】
【発明の実施の形態】
図１において、１はビデオ信号を入力し処理してクロマ信号を形成するとともに、偏向系へ与える水平パルスＨＰや垂直パルスＶＰ等を形成するＩＣであり、その水平パルスＨＰは水平出力回路２へ供給され、垂直パルスＶＰは垂直ドライブ回路３へ供給される。水平出力回路２は水平パルスＨＰにより水平出力トランジスタ（図示せず）をＯＮ／ＯＦＦ制御することによりフライバックトランス４にフライバックパルスＦＰを発生させるとともに、コンデンサ（図示せず）を充放電することにより水平偏向電流を形成する。
【００１３】
フライバックトランス４で発生したフライバックパルスＦＰはＩＣ１に帰還され、水平ＡＦＣの制御や水平ブランキングのタイミング制御に使用される。一方、垂直パルスＶＰが与えられた垂直ドライブ回路３はＲＡＭＰ信号（ランプ信号）ＲＳを形成する。そして、そのランプ信号ＲＳの一部はＩＣ１に帰還され、垂直周波数の制御に用いられる。
【００１４】
ＩＣ１には、更に第１、第２検出回路７、８が設けられている。第１検出回路７はフライバックパルスＦＰを検出するものであり、第２検出回路８は垂直ドライブ回路３のランプ信号ＲＳを検出するものである。９は第１、第２検出回路７、８によってフライバックパルスＦＰとランプ信号ＲＳの少なくとも一方が検出されないときは異常が生じたと判断して停止信号を出力する回路である。
【００１５】
マイクロコンピュータ（以下「マイコン」という）５はテレビジョン装置における各種の制御をするものであるが、そのうちＩＣ１をコントロールするトランジスタ６のコレクタが接続されている。そして、このトランジスタ６のベースに前記ＩＣ１の回路９からの停止信号が与えられるようになっている。
【００１６】
図２は前記ＩＣ１の要部とマイコン５の一部を示している。図２において、端子１１より入力されたテレビジョン信号はＶＩＦ回路１２で、そのＶＩＦ信号が増幅され、ビデオ検波回路１３でビデオ信号が抽出される。そのビデオ信号はクロマ回路１４でＲＧＢ信号に変換され、水平ブランキング回路１５を通して端子１６、１７、１８からＲＧＢ信号の形で出力される。
【００１７】
一方、同期分離回路１９で分離された同期信号に基づいて発振器２０で発振信号が形成されるが、この発振信号は水平カウンタ２１でカウントされ水平パルスとなって端子２３から出力される。この水平パルスは水平出力回路２へ与えられる。更に、水平パルスを垂直カウンタ２２で垂直カウントすることによって垂直パルスが形成されるが、この垂直パルスは回路２４で第２検出回路８で検出されたランプ信号を用いて周波数調整がなされた後、端子２５から出力される。この垂直パルスは垂直ドライブ回路３へ送られる。尚、前記水平ブランキング回路１５での水平ブランキングは第１検出回路７で検出されたフライバックパルスに基づいて行なわれる。
【００１８】
マイコン５は複数の出力ポート３１、３２、３３を有しており、そのうちのポート３２から所定のデータバス３４を通してＩＣ１へ駆動データを与える。ＩＣ１はその駆動データが入力されないと、内部の回路１２〜１５、１９〜２４が動作せず、従って、出力端子１６、１７、１８、２３、２５に出力が得られないようになっている。
【００１９】
ポート３１、３２、３３はポート電源が与えられないと、動作不能となる。尚、それらの電源は個別に制御可能である。トランジスタ６のコレクタがポート３２に接続されており、このトランジスタ６を介して外部から電源（５Ｖ）が与えられると、ポート３２は動作し、与えられないと動作しない。
【００２０】
従って、もし、ＣＲＴ・水平偏向系（水平出力回路２、フライバックトランス４等）に異常が生じてフライバックパルスが発生しないとき、又は垂直偏向系（例えば、垂直ドライブ回路３）に異常が発生してランプ信号が発生しないときは、ＩＣ１内の第１検出回路７又は第２検出回路８での検出がなされず、回路９は停止信号（ハイレベル電圧）を出力するので、トランジスタ６がオフとなり、ポート３２への電源が遮断されるため、マイコン５のポート３２から駆動データは出力されず、ＩＣ１の端子２３、２５からも水平パルス及び垂直パルスが出力されない。これによって、異常発生時のプロテクトが実現される。
【００２１】
図２において、端子２６に入力されるフライバックパルスＦＰは元々水平ブランキング回路１５へ与えられるようにフライバックトランス４からＩＣ１に帰還されるものであり、また、ランプ信号ＲＳも垂直周波数制御回路２４に与えられるために垂直ドライブ回路３からＩＣ１に帰還されるものであるので、本実施形態でこれらのフライバックパルスＦＰとランプ信号ＲＳをそれぞれ検出する検出回路７、８と停止信号発生回路９をＩＣ１内に設けたことは合理的であるといえる。
【００２２】
【発明の効果】
本発明によれば、もともとＩＣに帰還されるフライバックパルスやランプ信号をそのＩＣ内で検出する回路を設けることによって、検出出力回路の出力に基づいて異常を容易に検出することができるとともに、その異常検出出力に基づいてマイコンの所定のポート（ＩＣへ駆動データを送出するポート）を不作動にするので、簡単且つ確実に異常時のプロテクトを図ることができる。また、外付けの部品点数も少なくて済むという効果がある。また、マイコン自身は異常検出動作を行なう必要がないので、その分、割り込み処理が少なくて済み、他の動作機能が円滑になされる。
【図面の簡単な説明】
【図１】本発明の実施形態に係るテレビジョン装置のＣＲＴ偏向系プロテクト回路のブロック図
【図２】そのクロマ処理ＩＣとマイコンの要部詳細を示すブロック回路図
【図３】従来例のブロック回路図
【符号の説明】
１  ＩＣ
２  水平出力回路
３  垂直ドライブ回路
４  フライバックトランス
５  マイコン
６  トランジスタ
７  第１検出回路
８  第２検出回路
９  停止信号発生回路
【図１】
0003572615.tif 000002
【図２】
0003572615.tif 000003
【図３】
0003572615.tif 000004